(57)【要約】【課題】縫合糸パッケー縫合糸の質、形状または強度に影響することなく、種々のサイズの縫合糸を、包装内で位置ずれ、屈曲またはよじれなく、受容かつ保持可能であり縫合糸パッケージを提供する。【解決手段】縫合糸パッケージであって、外部包装材料、中空チューブ、少なくとも１つの取り外し可能な端部キャップ、その中に複数の外科用スチール縫合糸を収容するような形態および寸法であるコンテナ、およびその中に上記コンテナを取り外し可能に保持するよう適合された複数の支持要素を有する内部保持具を備える。【選択図】図１
2007275560.tif 000002
【特許請求の範囲】
【請求項１】
縫合糸パッケージであって：
外部包装材料；
中空チューブ、少なくとも１つの取り外し可能な端部キャップ、その中に複数の外科用スチール縫合糸を収容するような形態および寸法であるコンテナ；および
その中に該コンテナを取り外し可能に保持するよう適合された複数の支持要素を有する内部保持具、を備える、縫合糸パッケージ。
【請求項２】
前記外部包装材料が、頂部横方向エッジおよび底部横方向エッジ、および一緒に接着される長軸方向側方エッジを有する第１のシートおよび第２のシート、ならびにシールの頂部エッジ上の少なくとも１つの剥離可能なフラップを含む、請求項１に記載の縫合糸パッケージ。
【請求項３】
前記外部包装材料が、疎水性材料、親水性材料およびそれらの組み合わせからなる群より選択される材料から作製される、請求項１に記載の縫合糸パッケージ。
【請求項４】
前記第１のシートが、繊維層である、請求項２に記載の縫合糸パッケージ。
【請求項５】
前記繊維層が、ポリオレフィンファイバーを含む、請求項２に記載の縫合糸パッケージ。
【請求項６】
前記第２のシートが、プラスチック層である、請求項２に記載の縫合糸パッケージ。
【請求項７】
前記プラスチック層が、ポリエチレンである、請求項２に記載の縫合糸パッケージ。
【請求項８】
前記少なくとも１つの剥離可能なフラップが、前記パッケージを開くために、前記繊維層から前記プラスチック層の分離を容易にする遊離剤を含む、請求項２に記載の縫合糸パッケージ。
【請求項９】
前記遊離剤が、接着剤を含む、請求項２に記載の縫合糸パッケージ。
【請求項１０】
前記内部保持具の支持部材が、前部側面および後部側面を含み、該前部側面が、前記コンテナを固定するために該内部保持具に沿って等しく間隔を置かれた４つのＣ字状スリットを備える、請求項１に記載の縫合糸パッケージ。
【請求項１１】
前記内部保持具が、前記第１のスリットと第２のスリットとの間、および前記第３のスリットと第４のスリットとの間の前記前部側面上に２つのラベルを含む、請求項１に記載の縫合糸パッケージ。
【請求項１２】
外科用スチール縫合糸を包装するための方法であって：
外部包装材料を提供する工程；
中空チューブ、複数の外科用スチール縫合糸を収容するための少なくとも１つの取り外し可能な端部キャップを含むコンテナを提供し、そして該コンテナを取り外し可能に保持するよう適合された複数の支持要素を有する内部保持具を提供する工程；
該中空チューブのコンテナの遠位開放端部上に第１の端部キャップを配置する工程；
該中空チューブのコンテナの近位開放部中に縫合糸を配置する工程；
該コンテナ内に該スチール縫合糸を囲うために該近位開放部上に第２の端部キャップを配置する工程；
該コンテナを該内部保持具に固定する工程；および
該内部保持具を該外部包装材料内に囲う工程、を包含する、方法。
【請求項１３】
前記端部キャップが、前記コンテナの開放端部上の場所にある間に前記スチール縫合糸パッケージを滅菌する工程をさらに包含する、請求項１２に記載の方法。
【請求項１４】
前記コンテナを前記内部保持具に固定する工程が、該コンテナを４つの等しく間隔を置いて離れたＣ字状スリット内に配置することをさらに包含する、請求項１２に記載の方法。
【請求項１５】
前記内部保持具を前記外部包装材料内に囲う工程が、遊離剤により、４つのエッジに沿って外部包装材料の第１の繊維シートおよび第２のプラスチックシートをシールすることを包含する、請求項１２に記載の方法。
【請求項１６】
前記遊離剤が、接着剤である、請求項１２に記載の方法。
【請求項１７】
前記繊維シートがポリオレフィンを含み、そして前記プラスチックシートがポリエチレンを含む、請求項１２に記載の方法。
【請求項１８】
前記コンテナを前記内部保持具に固定する工程が：
該内部保持具の前部側面から第１のスリットを通って該コンテナを通過させること；
該コンテナを、第１のラベルの底面を通過させ、そして該内部保持具の後部側面から第２のスリットに侵入させること；
該コンテナを、該内部保持具の前部側面に沿って通過させ、そして第２のラベルの底面を通過させて第３のスリットに侵入させ、そして該内部保持具の後部側面から第４のスリットに侵入させ、そして該内部保持具の前部側面上で終わること、をさらに包含する、請求項１２に記載の方法。
【請求項１９】
スチール縫合糸キットであって：
外部包装材料；
該外部包装材料内に配置されたコンテナであって；中空チューブ、および少なくとも１つの取り外し可能な端部キャップを含むコンテナ；
該中空チューブ内に配置された複数の外科用スチール縫合糸；および
その中に該コンテナを取り外し可能に保持するように適合された、複数の支持要素を有する内部保持具、を備える、キット。
【発明の詳細な説明】
【技術分野】
【０００１】
（背景）
（技術分野）
本開示は、一般に、外科用デバイスを貯蔵および分与するためのパッケージ、そしてより詳細には、スチール縫合糸を貯蔵および分与し、それによってこのスチール縫合糸がコンテナ内に保持されるパッケージに関する。
【背景技術】
【０００２】
（関連技術の背景）
外科医に滅菌状態で縫合糸を包装し、そして送達するための多くのパッケージおよびパッケージング（包装）方法が多年に亘って提案されている。しかし、スチール製外科用縫合糸の包装は、それらのサイズ、剛直性およびそれらの包装の様式のため特定の問題を課している。ステンレス鋼（スチール）縫合糸は、それらが、包装内での位置ずれ、スチールフィラメント内の屈曲またはよじれを防ぐように適正に固定され、および外科医による使用のために包装から簡単かつ迅速に取り出し可能であることを要求する。
【０００３】
モノフィラメントステンレス鋼縫合糸は、この材料の直径に対して極度に高い引っ張り強さを有する。組織中に移植されたとき、ステンレス鋼縫合糸は、自然に分かれず、そしてこの材料の最大の引っ張り強度に近い、極めて高い堅固さまでねじれられることができる。ステンレス鋼縫合糸は、滅菌シール可能な息抜きパウチ内に含まれる長いカードボード包装材料中に包装されている。改良された縫合糸包装およびスチール縫合糸を含むための方法に関して継続する必要性が存在している。
【発明の開示】
【発明が解決しようとする課題】
【０００４】
従って、ステンレス鋼縫合糸を、それらが必要とされるとき、それらが使用者への容易なアクセスのために十分に分離され、そしてフィラメントでよじれを形成することを防ぐ様式でステンレス鋼縫合糸を包装することが所望される、さらに、縫合糸パッケージは、一般に、任意の様式でこの縫合糸の質、形状または強度に影響することなく、種々のサイズの縫合糸を受容および保持可能でなければならない。
【課題を解決するための手段】
【０００５】
（要旨）
従って、本開示による縫合糸パッケージは、外部包装材料、およびその中に中空チューブコンテナを離脱可能に保持するように等しく間隔を置かれた４つのＣ字状スリットをもつ内部保持具を含み、このコンテナは、その中にスチール縫合糸を保持するような形態および寸法である。
【０００６】
別の実施形態では、本開示による、その中にスチール縫合糸を貯蔵および分与するための縫合糸パッケージをアセンブルする方法は、１つの端部キャップをもつ中空チューブコンテナを提供する工程、スチール縫合糸をこのコンテナ内に配置する工程および開口端部にキャップをし、その中に縫合糸を囲む工程、等しく間隔を置いて離れた４つのＣ形状スリットをもつ内部保持具を提供する工程であって、ここで、上記コンテナは、上記内部保持具内に上記コンテナを離脱可能に固定するための様式で上記スリットを通じて配置される、工程、および上記内部保持具を中に囲うための滅菌された外部包装材料を提供する工程を含む。
【０００７】
より特定すれば、本発明は以下の項目に関し得る。
（項目１）縫合糸パッケージであって：外部包装材料；中空チューブ、少なくとも１つの取り外し可能な端部キャップ、その中に複数の外科用スチール縫合糸を収容するような形態および寸法であるコンテナ；およびその中に上記コンテナを取り外し可能に保持するよう適合された複数の支持要素を有する内部保持具、を備える、縫合糸パッケージ。
（項目２）上記外部包装材料が、頂部横方向エッジおよび底部横方向エッジ、および一緒に接着される長軸方向側方エッジを有する第１のシートおよび第２のシート、ならびにシールの頂部エッジ上の少なくとも１つの剥離可能なフラップを含む、項目１に記載の縫合糸パッケージ。
（項目３）上記外部包装材料が、疎水性材料、親水性材料およびそれらの組み合わせからなる群より選択される材料から作製される、項目１に記載の縫合糸パッケージ。
（項目４）上記第１のシートが、繊維層である、項目２に記載の縫合糸パッケージ。
（項目５）上記繊維層が、ポリオレフィンファイバーを含む、項目２に記載の縫合糸パッケージ。
（項目６）上記第２のシートが、プラスチック層である、項目２に記載の縫合糸パッケージ。
（項目７）上記プラスチック層が、ポリエチレンである、項目２に記載の縫合糸パッケージ。
（項目８）上記少なくとも１つの剥離可能なフラップが、上記パッケージを開くために、上記繊維層から上記プラスチック層の分離を容易にする遊離剤を含む、項目２に記載の縫合糸パッケージ。
（項目９）上記遊離剤が、接着剤を含む、項目２に記載の縫合糸パッケージ。
（項目１０）上記内部保持具の支持部材が、前部側面および後部側面を含み、上記前部側面が、上記コンテナを固定するために上記内部保持具に沿って等しく間隔を置かれた４つのＣ字状スリットを備える、項目１に記載の縫合糸パッケージ。
（項目１１）上記内部保持具が、上記第１のスリットと第２のスリットとの間、および上記第３のスリットと第４のスリットとの間の上記前部側面上に２つのラベルを含む、項目１に記載の縫合糸パッケージ。
（項目１２）外科用スチール縫合糸を包装するための方法であって：外部包装材料を提供する工程；中空チューブ、複数の外科用スチール縫合糸を収容するための少なくとも１つの取り外し可能な端部キャップを含むコンテナを提供し、そして上記コンテナを取り外し可能に保持するよう適合された複数の支持要素を有する内部保持具を提供する工程；上記中空チューブのコンテナの遠位開放端部上に第１の端部キャップを配置する工程；上記中空チューブのコンテナの近位開放部中に縫合糸を配置する工程；上記コンテナ内に上記スチール縫合糸を囲うために上記近位開放部上に第２の端部キャップを配置する工程；上記コンテナを上記内部保持具に固定する工程；および上記内部保持具を上記外部包装材料内に囲う工程、を包含する方法。
（項目１３）上記端部キャップが、上記コンテナの開放端部上の場所にある間に上記スチール縫合糸パッケージを滅菌する工程をさらに包含する、項目１２に記載の方法。
（項目１４）上記コンテナを上記内部保持具に固定する工程が、上記コンテナを４つの等しく間隔を置いて離れたＣ字状スリット内に配置することをさらに包含する、項目１２に記載の方法。
（項目１５）上記内部保持具を上記外部包装材料内に囲う工程が、遊離剤により、４つのエッジに沿って外部包装材料の第１の繊維シートおよび第２のプラスチックシートをシールすることを包含する、項目１２に記載の方法。
（項目１６）上記遊離剤が、接着剤である、項目１２に記載の方法。
（項目１７）上記繊維シートがポリオレフィンを含み、そして上記プラスチックシートがポリエチレンを含む、項目１２に記載の方法。
（項目１８）上記コンテナを上記内部保持具に固定する工程が：上記内部保持具の前部側面から第１のスリットを通って上記コンテナを通過させること；上記コンテナを、第１のラベルの底面を通過させ、そして上記内部保持具の後部側面から第２のスリットに侵入させること；上記コンテナを、上記内部保持具の前部側面に沿って通過させ、そして第２のラベルの底面を通過させて第３のスリットに侵入させ、そして上記内部保持具の後部側面から第４のスリットに侵入させ、そして上記内部保持具の前部側面上で終わること、をさらに包含する、項目１２に記載の方法。
（項目１９）スチール縫合糸キットであって：外部包装材料；上記外部包装材料内に配置されたコンテナであって；中空チューブ、および少なくとも１つの取り外し可能な端部キャップを含むコンテナ；上記中空チューブ内に配置された複数の外科用スチール縫合糸；およびその中に上記コンテナを取り外し可能に保持するように適合された、複数の支持要素を有する内部保持具、を備える、キット。
【発明の効果】
【０００８】
縫合糸が用いられるべきとき、端部キャップを引き離し、そして縫合糸の１つの端部を握り、そして縫合糸を上方に引くことにより、縫合糸がパッケージから容易に取り出される。この縫合糸の取り出しは、中空チューブ開口部によって大いに容易にされる。例えば、外科医または看護士は、チューブをわずかに反転し、外科用縫合糸を中空チューブから位置をずらし、そして縫合糸の塊を非滅菌フィールド中に曝すことなくパッケージから縫合糸を引くことができる。従って、縫合糸をもつれさせること、またはパッケージから１つ以上の縫合糸を引く可能性は避けられる。再滅菌する必要がないか、または縫合糸における変形に起因して新たな縫合糸を得る必要性なくして、縫合糸を外科医に得るプロセスは、先行するアプローチと比較して、甚大に単純化され、そして矯正される。
【発明を実施するための最良の形態】
【０００９】
（詳細な説明）
一般に、本開示は、縫合糸パッケージおよび包装方法を提供し、これは、スチール縫合糸の無菌性をその滅菌されたフィールドを越えて損なうリスクを減少して、このスチール縫合糸の閉じ込め、より容易な取扱い、および貯蔵を確実にするような中空チューブコンテナ内に経済的かつ効率的に含まれる縫合糸への迅速なアクセスを確実にする。各縫合糸は、このパッケージから所望されない縫合糸を引くか、または単一の縫合糸が得られることを確実にするために複数のスチール縫合糸を通って手探りする必要性の可能性が最小で握られるように、このパッケージ中に有利で、容易に接近可能な位置に容易に配置される。さらに、スチール縫合糸が、本開示に従って供給される様式は、提供される縫合糸が、滅菌状態にあり、そしてそれらの強度に悪影響を及ぼし得るよじれまたはその他の変形なしで提供される。
【００１０】
一旦、縫合糸が、本発明のパッケージ中でアセンブルされると、この滅菌パッケージは、ＤｕＰｏｎｔによって市販され、作製されるＴｙｖｅｋ（登録商標）（細菌不透過性であり、そして内部パックの滅菌度の損失なくして取扱い、かつ貯蔵されるに十分な強度を有し、そして手術の滅菌フィールドへの移行の間に容易に開放され得るパウチ）のような滅菌バリアでオーバーラップされる。
【００１１】
ここで、図１を参照して、本開示に従って構築された縫合糸パッケージの１つの例示の実施形態が、スチール縫合糸パッケージ１０として示され、これは、外部包装材料５０、内部保持具１００、およびコンテナ２００を含む。
【００１２】
外部包装材料５０は、一対のシート５２および５４を含み、これは、滅菌バリアを形成する。シート５２は、市販され製造されているＴｙｖｅｋ（登録商標）のような適切な滅菌バリア包装材料から形成され得る。シート５４は、例えば、透明ポリエチレンシートのような透明または半透明材料から形成され得る。これら２枚のシートは、剥離可能な接着剤５５の周縁ラインによって３つの辺上で一緒に接着される。シールの第４の辺を作製するために、接着剤５５は、それによって、２枚の外部包装材料５０が容易に引っ張られて離れ得る２つのフラップ５６、５８を生成する様式でパッケージ１０をまたぐ。
【００１３】
図１および２を参照して、内部保持具１００が提供され、そして前部側面１００ａ、後部側面（図示せず）、コンテナ２００を保持具１００に離脱可能に固定するための４つのほぼＣ字状のスリット１０２、１０４、１０６、１０８、および２つのラベル１１０、１１２を含む。保持具１００は、用紙のような適切な柔軟な材料から形成され得る。４つのスリット１０２、１０４、１０６、１０８は、内部保持具１００に沿って等しく間隔を置かれる。２つのラベル１１０、１１２は、内部保持具１００の前部側面１００ａ上に、１つは第１のスリット１０２と第２のスリット１０４の間に、そして１つは第３のスリット１０６と第４のスリット１０８の間にそれぞれ位置する。
【００１４】
図３を参照して、複数のスチール縫合糸３０８を囲うために、コンテナ２００が提供され、そしてこれは中空チューブ２０２および一対の端部キャップ２０４、２０６を含む。端部キャップ２０４、２０６は、中空チューブ２０２の対向する端部上に位置決めされるように特注ばめであり、コンテナ２００内にスチール縫合糸３０８を囲う。コンテナ２００は、プラスチックまたは金属のような任意の適切な材料から形成され得る。中空チューブ２０２は、それがその中に複数のスチール縫合糸３０８を保持し得るような形態および寸法である。端部キャップ２０４、２０６は、シールする滅菌バイアル、静脈内バッグ、カテーテル、薬物アンプルまたは血液バッグで用いられることが知られる伝統的なゴムまたは熱可塑性材料から構成され得る。あるいは、端部キャップ２０４、２０６は、疎水性材料、親水性材料、または疎水性材料と親水性材料との組み合わせから構成され得る。適切な端部キャップは、任意のサイズ、形状または寸法から作製され得、中空チューブのサイズ、形状または寸法に適合する。
【００１５】
このパッケージをアセンブルするために、１つの端部キャップ２０４が、中空チューブ２０２の１つの端部上に配置される。スチール縫合糸３０８が、次に、中空チューブ２０２の他方の開放端部中に配置される。一旦、縫合糸３０８がすべて中空チューブ２０２内に入ると、第２の端部キャップ２０６が中空チューブ２０２の開放端部上に配置され、貯蔵コンテナ２００内に縫合糸３０８を囲む。一旦、端部キャップ２０４、２０６が、縫合糸３０８を保持するコンテナ２００上に配置されると、スチール縫合糸３０８は、当業者に一般に公知の方法を用いて滅菌される。例えば、いくつかの滅菌技法は、γ線照射、電子ビーム（Ｅビーム）、エチレンオキサイドでの処理、または滅菌を提供するその他の化学的または物理的処理を含む。
【００１６】
コンテナ２００は、４つのスリット１０２、１０４、１０６、１０８によって内部保持具１００内に離脱可能に固定される。コンテナ２００は、内部保持具１００の前部側面１００ａから第１のスリット１０２に侵入し、そして内部保持具１００の後部側面から第２のスリット１０４に入る前にラベル１１０の底面を通過する。ここから、コンテナ２００は、第３のスリット１０６に入る前に内部保持具１００の前部側面１００ａに沿って進行し、そして内部保持具１００の後部側面から第４のスリット１０８に入る前にラベル１１２の底面を通過し、そして内部保持具１００の上部側面１００ａ上で終わる。
【００１７】
内部保持具１００は、その中に離脱可能に固定されたコンテナ２００とともに、外部包装材料５０の２枚のシート間にシールされる。この外部包装材料５０は、当業者に公知の任意の適切な材料から製造される医療デバイスのための任意の従来の包装材料であり得る。１つの実施形態では、外部包装材料５０は、その内面が熱シール可能なポリマー組成物で被覆されたアルミホイルの２つのパネルを熱シールすることによって形成される。この包装材料は、図１に示されるような内部シール可能なパウチの周縁の周りで結合される。当業者に周知であるような外部包装材料をシールするためのその他の手段が接着され得る。
【００１８】
別の実施形態では、外部包装材料５０は、疎水性材料から形成され得る。本明細書で記載されるとき、用語「疎水性」は、通常、水溶性ではなく、そして比較的小量、すなわち約１０重量％より少ない水を吸収する材料をいう。これら材料のいくつかの例は、制限されないで、ε−カプロラクトン、グリコリド、ｌ−ラクチド、ｄ，ｌ−ラクチド、ｄ−ラクチド、メソ−ラクチド、トリメチレンカーボネート、４，４−ジメチル−１，３−ジオキサン−２−オン、ｐ−ジオキサノン、ジオキセパノン、δ−バレロラクトン、β−ブチロラクトン、ε−デカラクトン、２，５−ジケトモルホリン、ピバロラクトン、α，α−ジエチルプロピオラクトン、６，８−ジオキサビシクロオクタン−７−オン、エチレンカボネート、エチレンオキサレート、３−メチル−１，４−ジオキサン−２，５−ジオン、３，３−ジメチル−１，４−ジオキサン−２，５−ジオンおよびその他の置換グリコリド、および置換ラクチドのようなモノマーから形成される、ポリマー、コポリマー、ホモポリマー、およびブロックコポリマーを含む。いくつかのさらに有用な疎水性材料は、ポリオレフィン（すなわち、Ｔｙｖｅｋ（登録商標））およびポリシロキサンを含む。
【００１９】
別の実施形態では、外部包装材料５０は、親水性材料から形成され得る。本明細書で記載されるとき、用語「親水性」は、通常、水溶性であり、そして比較的大量の水を吸収する材料をいう。これらの材料のいくつかの例は、制限されないで、ポリエチレングリコールのようなポリアルキレングリコール、メタクリレートおよび２−ヒドロキシエチルメタクリレートのポリマーのようなポリアクリレート、Ｎ，Ｎ−ジメチルアクリルアミドのようなアミノアルキルアクリレート、ポリビニルアルコール、ポリビニルピロリドン、ポリオキシエチレン、ポリアクリルアミド、ポリ（２−ヒドロキシ−エチルメタクリレート）、ポリメタクリルアミド、デキストラン、アルギン酸、アルギン酸ナトリウム、多糖類、ゼラチン、および上記ポリマーが由来するモノマーの２つ以上のコポリマー、およびポリオキシエチレン／ポリオキシプロピレンブロックコポリマーを含む。
【００２０】
なお別の実施形態では、外部包装材料５０は、疎水性材料と親水性材料との組み合わせから作製され得る。疎水性材料と親水性材料との組み合わせを備える外部包装材料の例は、遊離剤とともに接着された、ポリオレフィンシート（すなわち、Ｔｙｖｅｋ（登録商標））およびポリエチレンシートを含み得る。
【００２１】
縫合糸が用いられるべきとき、端部キャップを引き離し、そして縫合糸の１つの端部を握り、そして縫合糸を上方に引くことにより、上記パッケージから容易に取り出される。この縫合糸の取り出しは、中空チューブ開口部によって大いに容易にされる。例えば、外科医または看護士は、チューブをわずかに反転し、外科用縫合糸を中空チューブから位置をずらし、そして縫合糸の塊を非滅菌フィールド中に曝すことなくパッケージから縫合糸を引くことができる。従って、縫合糸をもつれさせること、またはパッケージから１つ以上の縫合糸を引く可能性は避けられる。再滅菌する必要がないか、または縫合糸における変形に起因して新たな縫合糸を得る必要性なくして、縫合糸を外科医に得るプロセスは、先行するアプローチと比較して、甚大に単純化され、そして矯正される。
【００２２】
当業者は、一旦、本開示が得られると、種々の実施形態を容易に認識し、そのすべては、添付の特許請求の範囲の範囲内に含まれることが意図される。
【産業上の利用可能性】
【００２３】
外科用デバイスを貯蔵および分与するためのパッケージ、そしてより詳細には、スチール縫合糸を貯蔵および分与し、それによってこのスチール縫合糸がコンテナ内に保持されるパッケージが提供される。
【００２４】
（要約）
本開示は、外部包装材料、その中に複数の外科用スチール縫合糸を収容するような形態および寸法であるコンテナ、およびその中にこのコンテナを取り外し可能に保持するよう適合された複数の支持要素を有する内部保持具を備える縫合糸パッケージを提供する。
【図面の簡単な説明】
【００２５】
本開示の詳細な実施形態は、ここで、図面を参照して説明されるが、このような実施形態は、例によるのみであり、そして本開示の原理の適用を代表し得る多くの可能な詳細な実施形態の小数の単なる例示に過ぎないことが理解されるべきである。本開示が関係する当業者に明らかな種々の変更および改変は、添付の特許請求の範囲でさらに規定されるような、本開示の思想、範囲および意図内であるとみなされる。
【図１】図１は、ステンレス鋼縫合糸パッケージの平面図である。
【図２】図２は、図１のステンレス鋼縫合糸パッケージを構成する要素の分解された斜視図である。
【図３】図３は、一対の端部キャップをもつスチール縫合糸を保持するように適合されたコンテナの分解斜視図である。
【符号の説明】
【００２６】
１０  縫合糸パッケージ
５０  外部包装材料
５５  接着剤
１００  保持具
１０２、１０４、１０６、１０８  スリット
１１０、１１２  ラベル
２００  コンテナ
２０２  中空チューブ
２０４、２０６  端部キャップ
３０８  スチール縫合糸
【図１】
2007275560.tif 000003
【図２】
2007275560.tif 000004
【図３】
2007275560.tif 000005